【手続補正書】
【提出日】平成30年6月8日(2018.6.8)
【手続補正１】
【補正対象書類名】特許請求の範囲
【補正対象項目名】全文
【補正方法】変更
【補正の内容】
【特許請求の範囲】
【請求項１】
放射線を電荷に変換し蓄積する変換素子及び前記変換素子を信号線に接続するスイッチ素子を含む複数の画素が複数の行および複数の列を構成するように配列された画素アレイと、
前記複数の画素の前記変換素子にバイアス電位を与えるためのバイアス線と、
前記複数の画素の前記スイッチ素子の制御端子に接続された複数の駆動線と、
１つ以上の駆動線ごとに駆動信号を供給する駆動部であって、各駆動信号を、前記スイッチ素子を非導通状態にするオフ電圧から、前記スイッチ素子を導通状態にするオン電圧に切り替え、前記オフ電圧に戻す初期化動作を繰り返す駆動部と、
前記複数の駆動線の少なくとも１つに前記オン電圧が供給されていることに応じて前記バイアス線を流れる電流を表す第１値と、前記複数の駆動線のそれぞれに前記オフ電圧が供給されていることに応じて前記バイアス線を流れる電流を表す第２値とを取得する取得部と、
前記第１値及び前記第２値に基づいて放射線情報を算出する算出部と、
前記放射線情報に基づいて前記画素アレイへの放射線の照射の有無を判定する判定部とを備えることを特徴とする放射線撮像装置。
【請求項２】
放射線を電荷に変換し蓄積する変換素子及び前記変換素子を信号線に接続するスイッチ素子を含む複数の画素が複数の行および複数の列を構成するように配列された画素アレイと、
前記複数の画素の前記変換素子にバイアス電位を与えるためのバイアス線と、
前記複数の画素の前記スイッチ素子の制御端子に接続された複数の駆動線と、
１つ以上の駆動線ごとに駆動信号を供給する駆動部であって、各駆動信号を、前記スイッチ素子を非導通状態にするオフ電圧から、前記スイッチ素子を導通状態にするオン電圧に切り替え、前記オフ電圧に戻す初期化動作を繰り返す駆動部と、
前記複数の駆動線の少なくとも１つに前記オン電圧が供給されている期間内の少なくとも一時点において前記バイアス線を流れる電流を表す第１値と、前記複数の駆動線のそれぞれに前記オフ電圧が供給されている期間内の少なくとも一時点において前記バイアス線を流れる電流を表す第２値とを取得する取得部と、
前記第１値及び前記第２値に基づいて放射線情報を算出する算出部と、
前記放射線情報に基づいて前記画素アレイへの放射線の照射の有無を判定する判定部とを備えることを特徴とする放射線撮像装置。
【請求項３】
前記取得部は、前記初期化動作を繰り返している間に前記第１値と前記第２値とを複数回取得することを特徴とする請求項１又は２に記載の放射線撮像装置。
【請求項４】
前記駆動部は、ある１つ以上の駆動線への駆動信号を前記オン電圧へ切り替えてから、次の１つ以上の駆動線への駆動信号を前記オン電圧へ切り替えるまでを１の駆動周期として、ある１つ以上の駆動線への駆動信号を前記オフ電圧へ戻した後、時間間隔をおいて、次の１つ以上の駆動線への駆動信号を前記オン電圧へ切り替えることを特徴とする請求項１乃至３の何れか１項に記載の放射線撮像装置。
【請求項５】
前記算出部は、ある駆動周期について取得された前記第１値と、当該駆動周期について取得された前記第２値及び当該駆動周期の直前の駆動周期について取得された前記第２値の少なくとも一方とに基づいて前記放射線情報を算出することを特徴とする請求項４に記載の放射線撮像装置。
【請求項６】
前記算出部は、ある駆動周期について取得された前記第１値と当該駆動周期について取得された前記第２値とに基づいて前記放射線情報を算出することを特徴とする請求項４に記載の放射線撮像装置。
【請求項７】
前記算出部は、ある駆動周期について取得された前記第１値と当該駆動周期の直前の駆動周期について取得された前記第２値とに基づいて前記放射線情報を算出することを特徴とする請求項４に記載の放射線撮像装置。
【請求項８】
前記算出部は、ある駆動周期について取得された前記第１値と、当該駆動周期について取得された前記第２値及び当該駆動周期の直前の駆動周期について取得された前記第２値と、に基づいて前記放射線情報を算出することを特徴とする請求項４に記載の放射線撮像装置。
【請求項９】
前記算出部は、１つ以上の前記第１値から算出される値と、１つ以上の前記第２値から算出される値との差分に基づいて前記放射線情報を算出し、
前記判定部は、前記放射線情報を閾値と比較することによって前記判定を行うことを特徴とする請求項４乃至８の何れか１項に記載の放射線撮像装置。
【請求項１０】
前記取得部は、前記駆動周期ごとに、前記第２値を複数回取得し、
前記算出部は、前記１つ以上の第２値から算出される値を、複数の前記第２値に重みを付けて加算することによって算出することを特徴とする請求項９に記載の放射線撮像装置。
【請求項１１】
前記算出部は、前記放射線情報を算出するために用いられる第１値に対して近い時刻に取得された第２値ほど大きな重みを付けることを特徴とする請求項１０に記載の放射線撮像装置。
【請求項１２】
前記取得部は、前記駆動周期ごとに、前記第１値を複数回取得し、
前記算出部は、前記１つ以上の第１値から算出される値を、複数の前記第１値に重みを付けて加算することによって算出することを特徴とする請求項９又は１０に記載の放射線撮像装置。
【請求項１３】
前記算出部は、前記第１値と、当該第１値の取得とは時間間隔をおいて取得された第２値とに基づいて前記放射線情報を算出することを特徴とする請求項３乃至１２の何れか１項に記載の放射線撮像装置。
【請求項１４】
前記駆動部は、ある１つ以上の駆動線への駆動信号を前記オン電圧へ切り替えてから、次の１つ以上の駆動線への駆動信号を前記オン電圧へ切り替えるまでを１の駆動周期として、ある１つ以上の駆動線への駆動信号を前記オフ電圧に切り替えるとともに、次の１つ以上の駆動線への駆動信号を前記オン電圧に切り替え、
前記算出部は、ある駆動周期について取得された前記第１値と、当該駆動周期とは異なる駆動周期で取得された前記第１値とに基づいて前記放射線情報を算出することを特徴とする請求項１又は２に記載の放射線撮像装置。
【請求項１５】
前記算出部は、ある駆動周期について取得された前記第１値と、当該駆動周期の直後の駆動周期で取得された前記第１値及び当該駆動周期の直前の駆動周期について取得された前記第１値の少なくとも一方とに基づいて算出することを特徴とする請求項１２に記載の放射線撮像装置。
【請求項１６】
前記算出部は、前記駆動部がある１つ以上の駆動線への前記駆動信号を前記オン電圧に切り替えた後、所定の遅延時間が経過した後に前記取得部が取得した１つ以上の前記第１値と、当該１つ以上の前記第１値の取得とは時間をおいて取得された１つ以上の前記第２値とに基づいて前記放射線情報を算出することを特徴とする請求項１乃至１５の何れか１項に記載の放射線撮像装置。
【請求項１７】
前記所定の遅延時間は、前記駆動線の時定数と前記バイアス線の時定数との少なくとも一方に基づいて決定されることを特徴とする請求項１６に記載の放射線撮像装置。
【請求項１８】
前記バイアス線を複数備えるとともに、複数の前記バイアス線のそれぞれについて前記取得部を備え、
前記所定の遅延時間は、前記取得部ごとに決定されることを特徴とする請求項１７に記載の放射線撮像装置。
【請求項１９】
前記放射線情報を記憶するためのメモリを更に備え、
前記判定部は、ある１つ以上の駆動線への駆動信号を前記オン電圧へ切り替えてから次の１つ以上の駆動線への駆動信号を前記オン電圧へ切り替えるまでのある駆動周期について算出された前記放射線情報と、当該駆動周期で前記オン電圧が供給された１つ以上の駆動線について、当該駆動周期よりも前の駆動周期で算出されて、前記メモリに記憶された放射線情報との差分に基づいて前記画素アレイへの放射線の照射の有無を判定することを特徴とする請求項１乃至１６の何れか１項に記載の放射線撮像装置。
【請求項２０】
前記取得部はＡ／Ｄ変換器を含み、
前記第１値及び前記第２値は、前記バイアス線を流れる電流を表すアナログ信号値を前記Ａ／Ｄ変換器がサンプリングすることによって得られたディジタル信号値であることを特徴とする請求項１乃至１９の何れか１項に記載の放射線撮像装置。
【請求項２１】
前記駆動部は、ある１つ以上の駆動線への駆動信号を前記オン電圧へ切り替えてから次の１つ以上の駆動線への駆動信号を前記オン電圧へ切り替えるまでのある駆動周期で前記オン電圧が供給される１つ以上の駆動線と、次の駆動周期で前記オン電圧が供給される１つ以上の駆動線とが互いに隣接しないように前記駆動信号を供給することを特徴とする請求項１乃至２０の何れか１項に記載の放射線撮像装置。
【請求項２２】
前記駆動部は、前記画素アレイの１辺から数えて奇数本目にある前記駆動線への前記駆動信号を順次に前記オン電圧に切り替えた後、偶数本目にある前記駆動線への前記駆動信号を順次に前記オン電圧に切り替えることを特徴とする請求項１乃至２１の何れか１項に記載の放射線撮像装置。
【請求項２３】
前記駆動部は、２つ以上の駆動線ごとに駆動信号を供給することを特徴とする請求項１乃至２２の何れか１項に記載の放射線撮像装置。
【請求項２４】
前記判定部が前記画素アレイへ放射線が照射されていると判定した場合に、前記駆動部は前記駆動信号の前記オン電圧への切り替えを終了することを特徴とする請求項１乃至２３の何れか１項に記載の放射線撮像装置。
【請求項２５】
請求項１乃至２４の何れか１項に記載の放射線撮像装置と、
前記放射線撮像装置から出力される信号を処理するプロセッサと
を備えることを特徴とする放射線撮像システム。
【請求項２６】
放射線を電荷に変換し蓄積する変換素子及び前記変換素子を信号線に接続するスイッチ素子を含む複数の画素が複数の行および複数の列を構成するように配列された画素アレイと、
前記複数の画素の前記変換素子にバイアス電位を与えるためのバイアス線と、
前記複数の画素の前記スイッチ素子の制御端子に接続された複数の駆動線と、
１つ以上の駆動線ごとに駆動信号を供給する駆動部であって、各駆動信号を、前記スイッチ素子を非導通状態にするオフ電圧から、前記スイッチ素子を導通状態にするオン電圧に切り替え、前記オフ電圧に戻す初期化動作を、ある１つ以上の駆動線の単位への駆動信号を前記オン電圧へ切り替えてから次の１つ以上の駆動線の単位への駆動信号を前記オン電圧へ切り替えるまでの駆動周期ごとに行い、且つ、前記初期化動作を繰り返す駆動部と、
前記複数の駆動線の少なくとも１つに前記オン電圧が供給されていることに応じて前記バイアス線を流れる電流を表す第１値と、前記複数の駆動線のそれぞれに前記オフ電圧が供給されていることに応じて前記バイアス線を流れる電流を表す第２値とを取得する取得部と、
前記第１値及び前記第２値に基づいて放射線情報を算出する算出部と、
前記放射線情報に基づいて前記画素アレイへの放射線の照射の有無を判定する判定部とを備えることを特徴とする放射線撮像装置。
【請求項２７】
放射線を電荷に変換し蓄積する変換素子及び前記変換素子を信号線に接続するスイッチ素子を含む複数の画素が複数の行および複数の列を構成するように配列された画素アレイと、
前記複数の画素の前記変換素子にバイアス電位を与えるためのバイアス線と、
前記複数の画素の前記スイッチ素子の制御端子に接続された複数の駆動線と、
１つ以上の駆動線ごとに駆動信号を供給する駆動部であって、各駆動信号を、前記スイッチ素子を非導通状態にするオフ電圧から、前記スイッチ素子を導通状態にするオン電圧に切り替え、前記オフ電圧に戻す初期化動作を、ある１つ以上の駆動線の単位への駆動信号を前記オン電圧へ切り替えてから次の１つ以上の駆動線の単位への駆動信号を前記オン電圧へ切り替えるまでの駆動周期ごとに行い、且つ、前記初期化動作を繰り返す駆動部と、
前記複数の駆動線の少なくとも１つに前記オン電圧が供給されている期間内の少なくとも一時点において前記バイアス線を流れる電流を表す第１値と、前記複数の駆動線のそれぞれに前記オフ電圧が供給されている期間内の少なくとも一時点において前記バイアス線を流れる電流を表す第２値とを取得する取得部と、
前記第１値及び前記第２値に基づいて放射線情報を算出する算出部と、
前記放射線情報に基づいて前記画素アレイへの放射線の照射の有無を判定する判定部とを備えることを特徴とする放射線撮像装置。
【請求項２８】
前記取得部は、前記初期化動作を繰り返している間に前記第１値と前記第２値とを複数回取得することを特徴とする請求項２６又は２７に記載の放射線撮像装置。
【請求項２９】
前記駆動部は、ある１つ以上の駆動線への駆動信号を前記オフ電圧へ戻した後、時間間隔をおいて、次の１つ以上の駆動線への駆動信号を前記オン電圧へ切り替えることを特徴とする請求項２６乃至２８の何れか１項に記載の放射線撮像装置。
【請求項３０】
前記算出部は、ある駆動周期について取得された前記第１値と、当該駆動周期について取得された前記第２値及び当該駆動周期の直前の駆動周期について取得された前記第２値の少なくとも一方とに基づいて前記放射線情報を算出することを特徴とする請求項２９に記載の放射線撮像装置。
【請求項３１】
前記算出部は、ある駆動周期について取得された前記第１値と当該駆動周期について取得された前記第２値とに基づいて前記放射線情報を算出することを特徴とする請求項２９に記載の放射線撮像装置。
【請求項３２】
前記算出部は、ある駆動周期について取得された前記第１値と当該駆動周期の直前の駆動周期について取得された前記第２値とに基づいて前記放射線情報を算出することを特徴とする請求項２９に記載の放射線撮像装置。
【請求項３３】
前記算出部は、ある駆動周期について取得された前記第１値と、当該駆動周期について取得された前記第２値及び当該駆動周期の直前の駆動周期について取得された前記第２値と、に基づいて前記放射線情報を算出することを特徴とする請求項２９に記載の放射線撮像装置。
【請求項３４】
前記算出部は、１つ以上の前記第１値から算出される値と、１つ以上の前記第２値から算出される値との差分に基づいて前記放射線情報を算出し、
前記判定部は、前記放射線情報を閾値と比較することによって前記判定を行うことを特徴とする請求項２９乃至３３の何れか１項に記載の放射線撮像装置。
【請求項３５】
前記取得部は、前記駆動周期ごとに、前記第２値を複数回取得し、
前記算出部は、前記１つ以上の第２値から算出される値を、複数の前記第２値に重みを付けて加算することによって算出することを特徴とする請求項３４に記載の放射線撮像装置。
【請求項３６】
前記算出部は、前記放射線情報を算出するために用いられる第１値に対して近い時刻に取得された第２値ほど大きな重みを付けることを特徴とする請求項３５に記載の放射線撮像装置。
【請求項３７】
前記取得部は、前記駆動周期ごとに、前記第１値を複数回取得し、
前記算出部は、前記１つ以上の第１値から算出される値を、複数の前記第１値に重みを付けて加算することによって算出することを特徴とする請求項３４又は３５に記載の放射線撮像装置。
【請求項３８】
前記算出部は、前記第１値と、当該第１値の取得とは時間間隔をおいて取得された第２値とに基づいて前記放射線情報を算出することを特徴とする請求項２８乃至３７の何れか１項に記載の放射線撮像装置。
【請求項３９】
前記算出部は、ある駆動周期について取得された前記第１値と、当該駆動周期とは異なる駆動周期で取得された前記第１値とに基づいて前記放射線情報を算出することを特徴とする請求項２６又は２７に記載の放射線撮像装置。
【請求項４０】
前記算出部は、ある駆動周期について取得された前記第１値と、当該駆動周期の直後の駆動周期で取得された前記第１値及び当該駆動周期の直前の駆動周期について取得された前記第１値の少なくとも一方とに基づいて算出することを特徴とする請求項３７に記載の放射線撮像装置。
【請求項４１】
前記算出部は、前記駆動部がある１つ以上の駆動線への前記駆動信号を前記オン電圧に切り替えた後、所定の遅延時間が経過した後に前記取得部が取得した１つ以上の前記第１値と、当該１つ以上の前記第１値の取得とは時間をおいて取得された１つ以上の前記第２値とに基づいて前記放射線情報を算出することを特徴とする請求項２６乃至４０の何れか１項に記載の放射線撮像装置。
【請求項４２】
前記所定の遅延時間は、前記駆動線の時定数と前記バイアス線の時定数との少なくとも一方に基づいて決定されることを特徴とする請求項４１に記載の放射線撮像装置。
【請求項４３】
前記バイアス線を複数備えるとともに、複数の前記バイアス線のそれぞれについて前記取得部を備え、
前記所定の遅延時間は、前記取得部ごとに決定されることを特徴とする請求項４２に記載の放射線撮像装置。
【請求項４４】
前記放射線情報を記憶するためのメモリを更に備え、
前記判定部は、ある駆動周期について算出された前記放射線情報と、当該駆動周期で前記オン電圧が供給された１つ以上の駆動線について、当該駆動周期よりも前の駆動周期で算出されて、前記メモリに記憶された放射線情報との差分に基づいて前記画素アレイへの放射線の照射の有無を判定することを特徴とする請求項２６乃至４１の何れか１項に記載の放射線撮像装置。
【請求項４５】
前記取得部はＡ／Ｄ変換器を含み、
前記第１値及び前記第２値は、前記バイアス線を流れる電流を表すアナログ信号値を前記Ａ／Ｄ変換器がサンプリングすることによって得られたディジタル信号値であることを特徴とする請求項２６乃至４４の何れか１項に記載の放射線撮像装置。
【請求項４６】
前記駆動部は、ある１つ以上の駆動線への駆動信号を前記オン電圧へ切り替えてから次の１つ以上の駆動線への駆動信号を前記オン電圧へ切り替えるまでのある駆動周期で前記オン電圧が供給される１つ以上の駆動線と、次の駆動周期で前記オン電圧が供給される１つ以上の駆動線とが互いに隣接しないように前記駆動信号を供給することを特徴とする請求項２６乃至４５の何れか１項に記載の放射線撮像装置。
【請求項４７】
前記駆動部は、前記画素アレイの１辺から数えて奇数本目にある前記駆動線への前記駆動信号を順次に前記オン電圧に切り替えた後、偶数本目にある前記駆動線への前記駆動信号を順次に前記オン電圧に切り替えることを特徴とする請求項２６乃至４６の何れか１項に記載の放射線撮像装置。
【請求項４８】
前記駆動部は、２つ以上の駆動線ごとに駆動信号を供給することを特徴とする請求項２６乃至４７の何れか１項に記載の放射線撮像装置。
【請求項４９】
前記判定部が前記画素アレイへ放射線が照射されていると判定した場合に、前記駆動部は前記駆動信号の前記オン電圧への切り替えを終了することを特徴とする請求項２６乃至４８の何れか１項に記載の放射線撮像装置。
【請求項５０】
請求項２６乃至４９の何れか１項に記載の放射線撮像装置と、
前記放射線撮像装置から出力される信号を処理するプロセッサと
を備えることを特徴とする放射線撮像システム。